(57)【特許請求の範囲】
【請求項１】
先端に空気吹出し口を有する本体部と、
前記本体部に内蔵された送風ファンと、
前記送風ファンから送り出される風の通路に配置された発熱部と、
前記発熱部に対して前記空気吹出し口側に配置され、多数の第１の通風孔を有する格子状のマイナスイオン発生部材と、
前記発熱部に対して前記空気吹出し口側に配置され、多数の第２の通風孔を有する格子状の遠赤外線発生部材と、を備え、
前記マイナスイオン発生部材と前記遠赤外線発生部材とは、前記空気吹出し口の近傍に、互いに近接して設けられており、
前記マイナスイオン発生部材は、前記遠赤外線発生部材よりも前記空気吹出し口側に位置している、ことを特徴とするヘアドライヤー。
【請求項２】
請求項１に記載のヘアドライヤーにおいて、
前記マイナスイオン発生部材は、マイナスイオンを発生する物質のパウダーを含有する第１のセラミックからなり、
前記遠赤外線発生部材は、遠赤外線を発生する物質のパウダーを含有する第２のセラミックからなる、ことを特徴とするヘアドライヤー。
【請求項３】
請求項２に記載のヘアドライヤーにおいて、
前記第１のセラミックの前記パウダーの含有率と、前記第２のセラミックの前記パウダーの含有率とは同じ値であって、共に３０％またはそれを超える値である、ことを特徴とするヘアドライヤー。
【請求項４】
請求項１ないし請求項３のいずれかに記載のヘアドライヤーにおいて、
前記マイナスイオン発生部材と前記遠赤外線発生部材とは、形状および寸法が同一である、ことを特徴とするヘアドライヤー。
【請求項５】
請求項１ないし請求項４のいずれかに記載のヘアドライヤーにおいて、
前記発熱部に、遠赤外線を発生する物質の層が形成されている、ことを特徴とするヘアドライヤー。
【請求項６】
請求項１ないし請求項５のいずれかに記載のヘアドライヤーにおいて、
前記本体部と前記発熱部との間に介在する遮熱板をさらに備え、
前記遮熱板の前記発熱部側の面に、遠赤外線を発生する物質の層が形成されている、ことを特徴とするヘアドライヤー。
【請求項７】
請求項１ないし請求項６のいずれかに記載のヘアドライヤーにおいて、
前記マイナスイオン発生部材の格子と、前記遠赤外線発生部材の格子とは、前記空気吹出し口側からみて重なっており、
前記第１の通風孔と第２の通風孔とが、前記空気吹出し口側からみて一致している、ことを特徴とするヘアドライヤー。
【請求項８】
請求項７に記載のヘアドライヤーにおいて、
前記マイナスイオン発生部材よりも前記空気吹出し口側に配置された格子状のグリルをさらに備え、
前記マイナスイオン発生部材の格子と、前記遠赤外線発生部材の格子と、前記グリルの格子とが、前記空気吹出し口側からみて重なっている、ことを特徴とするヘアドライヤー。
【請求項９】
請求項８に記載のヘアドライヤーにおいて、
前記発熱部は、前記空気吹出し口側からみて十字形のヒータプレートを備え、
前記マイナスイオン発生部材の格子と、前記遠赤外線発生部材の格子と、前記グリルの格子と、前記ヒータプレートとが、前記空気吹出し口側からみて重なっている、ことを特徴とするヘアドライヤー。
【請求項１０】
請求項１ないし請求項９のいずれかに記載のヘアドライヤーにおいて、
前記マイナスイオン発生部材と前記遠赤外線発生部材とは、共通のホルダーに一定の間隔を置いて保持されている、ことを特徴とするヘアドライヤー。
【請求項１１】
請求項１０に記載のヘアドライヤーにおいて、
前記マイナスイオン発生部材および前記遠赤外線発生部材は、位置決め用の第１の係合部をそれぞれ有しており、
前記ホルダーは、前記第１の係合部が係合する第２の係合部を有している、ことを特徴とするヘアドライヤー。
【発明の詳細な説明】
【技術分野】
【０００１】
本発明は、一般家庭や美容院・理髪店などで用いられるヘアドライヤーに関する。
【背景技術】
【０００２】
一般に、ヘアドライヤーは、ヒータや送風ファンなどを内蔵した筒状の本体部と、この本体部の後部に設けられた把持用のハンドル部とを備えている。そして、ハンドル部を手で把持した状態で、当該ハンドル部に設けられているスイッチを操作することで、本体部の先端の空気吹出し口から温風または冷風を吹き出して、頭髪を乾燥させる。
【０００３】
ヘアドライヤーには、頭髪を乾燥させるだけでなく、たとえば特許文献１〜５に記載されているような、空気吹出し口から風とともにマイナスイオンや遠赤外線を放出して頭髪をケアする機能を備えたものがある。このようなヘアドライヤーでは、マイナスイオン発生部材や遠赤外線発生部材が、本体部に内蔵されている。
【０００４】
ところで、ヘアドライヤーでは、ヒータを発熱させ、送風ファンを回転させることで温風を生成するが、ヒータはかなりの高温となるため、送風ファンから送り出される風の流れが悪いと、ドライヤー内部に熱がこもった状態となる。そして、この熱によりドライヤー内部の温度が異常に高温になると、サーモスタットが作動してヒータへの通電が自動的に遮断され（オートリセット機能）、ヘアドライヤーが一時的に使用できなくなる。
【０００５】
前述のマイナスイオン発生部材や遠赤外線発生部材は、風の流れる方向に向って送風ファンより前方に配置されるため、送風ファンから送り出される風の流れを阻害する要因となる。特に、マイナスイオン発生部材と遠赤外線発生部材の両方を設けた場合は、風の流れが悪くなって内部が高温となり、頻繁にオートリセット機能が働いてヘアドライヤーの使用に支障をきたすおそれがある。
【０００６】
また、特許文献１や特許文献２のヘアドライヤーでは、マイナスイオンを発生させる部分が、空気吹出し口から離れた奥の位置に設けられているため、空気吹出し口から放出されるマイナスイオンの数が減少し、マイナスイオンによる十分なケア効果が得られないという問題がある。
【先行技術文献】
【特許文献】
【０００７】
【特許文献１】実用新案登録第３１３０６５０号公報
【特許文献２】実用新案登録第３１１０４８４号公報
【特許文献３】実用新案登録第３０８１７３２号公報
【特許文献４】特公平８−２４６０６公報
【特許文献５】実公平３−５４６４７公報
【発明の概要】
【発明が解決しようとする課題】
【０００８】
本発明の課題は、マイナスイオン発生部材と遠赤外線発生部材の構造および配置を工夫することで、内部の風の流れを良くして熱のこもりを防止するとともに、空気吹出し口から多量のマイナスイオンを放出することが可能なヘアドライヤーを提供することにある。
【課題を解決するための手段】
【０００９】
本発明に係るヘアドライヤーは、先端に空気吹出し口を有する本体部と、この本体部に内蔵された送風ファンと、この送風ファンから送り出される風の通路に配置された発熱部と、この発熱部に対して空気吹出し口側に配置され、多数の第１の通風孔を有する格子状のマイナスイオン発生部材と、発熱部に対して空気吹出し口側に配置され、多数の第２の通風孔を有する格子状の遠赤外線発生部材とを備えている。マイナスイオン発生部材と遠赤外線発生部材とは、空気吹出し口の近傍に互いに近接して設けられていて、マイナスイオン発生部材は、遠赤外線発生部材よりも空気吹出し口側に位置している。
【００１０】
このような構成によると、マイナスイオン発生部材と遠赤外線発生部材の両方を設けても、各部材に多数の通風孔が形成されているので、送風ファンから送り出される風は、これらの通風孔を通って円滑に流れる。このため、空気吹出し口から排出される風の量が増加するとともに、ドライヤー内部の風の流れが良くなって、発熱部で発生した熱が内部にこもるのが抑制される。このため、内部温度が異常に高温になることはなく、オートリセット機能が頻繁に働いてドライヤーが使用不可能になるのを回避することができる。
【００１１】
また、マイナスイオン発生部材が、遠赤外線発生部材よりも空気吹出し口側に位置しているので、マイナスイオン発生部材が遠赤外線発生部材の内側（空気吹出し口と反対側）に配置された場合に比べて、空気吹出し口から放出されるマイナスイオンの数が増加する。これにより、マイナスイオンによる十分なケア効果を得ることができる。
【００１２】
本発明の好ましい実施形態によれば、マイナスイオン発生部材は、マイナスイオンを発生する物質のパウダーを含有する第１のセラミックからなり、遠赤外線発生部材は、遠赤外線を発生する物質のパウダーを含有する第２のセラミックからなる。
【００１３】
本発明の好ましい実施形態によれば、第１のセラミックのパウダーの含有率と、第２のセラミックのパウダーの含有率とは同じ値であって、共に３０％またはそれを超える値である。
【００１４】
本発明の好ましい実施形態によれば、マイナスイオン発生部材と遠赤外線発生部材とは、形状および寸法が同一である。
【００１５】
本発明の好ましい実施形態によれば、発熱部に、遠赤外線を発生する物質の層が形成されている。
【００１６】
本発明の好ましい実施形態によれば、ヘアドライヤーは、本体部と発熱部との間に介在する遮熱板をさらに備えており、この遮熱板の発熱部側の面に、遠赤外線を発生する物質の層が形成されている。
【００１７】
本発明の好ましい実施形態によれば、マイナスイオン発生部材の格子と、遠赤外線発生部材の格子とは、空気吹出し口側からみて重なっており、第１の通風孔と第２の通風孔とが、空気吹出し口側からみて一致している。
【００１８】
本発明の好ましい実施形態によれば、ヘアドライヤーは、マイナスイオン発生部材よりも空気吹出し口側に配置された格子状のグリルをさらに備えており、マイナスイオン発生部材の格子と、遠赤外線発生部材の格子と、グリルの格子とが、空気吹出し口側からみて重なっている。
【００１９】
本発明の好ましい実施形態によれば、発熱部は、空気吹出し口側からみて十字形のヒータプレートを備えており、マイナスイオン発生部材の格子と、遠赤外線発生部材の格子と、グリルの格子と、ヒータプレートとが、空気吹出し口側からみて重なっている。
【００２０】
本発明の好ましい実施形態によれば、マイナスイオン発生部材と遠赤外線発生部材とは、共通のホルダーに一定の間隔を置いて保持されている。
【００２１】
本発明の好ましい実施形態によれば、マイナスイオン発生部材および遠赤外線発生部材は、位置決め用の第１の係合部をそれぞれ有しており、ホルダーは、第１の係合部が係合する第２の係合部を有している。
【発明の効果】
【００２２】
本発明のヘアドライヤーによれば、内部の風の流れを良くして熱のこもりを防止でき、しかも、空気吹出し口から多量のマイナスイオンが放出されるので、頭髪等のケア効果を高めることができる。
【図面の簡単な説明】
【００２３】
【図１】本発明によるヘアドライヤーの側面図である。
【図２】本発明によるヘアドライヤーの正面図である。
【図３】本発明によるヘアドライヤーの背面図である。
【図４】本発明によるヘアドライヤーの上面図である。
【図５】図２のＡ−Ａ断面の側面図である。
【図６】図２のＢ−Ｂ断面の側面図である。
【図７】本発明によるヘアドライヤーの分解斜視図である。
【図８】マイナスイオン発生部材の正面図である。
【図９】遠赤外線発生部材の正面図である。
【図１０】マイナスイオンの数の測定結果を示すグラフである。
【発明を実施するための形態】
【００２４】
以下、本発明の実施形態につき、図面を参照しながら説明する。各図において、同一の部分または対応する部分には、同一符号を付してある。
【００２５】
図１に示すように、本実施形態に係るヘアドライヤー１００は、円筒状の本体部１と、把持用のハンドル部２とを備えている。本体部１の先端には、空気吹出し口３が設けられている。本体部１は、ケース１ａと、このケース１ａに装着されるカバー１ｂとから構成されている。本体部１の空気吹出し口３と反対側には、キャップ５が着脱自在に装着されている。このキャップ５には、図３にも示すように、本体部１内に空気を導入するための多数の透孔５ａと、ハンドル部２を手で把持した状態で親指を受ける窪み９が形成されている。
【００２６】
ハンドル部２は、本体部１の後部（空気吹出し口３と反対側）に設けられている。このハンドル部２には、電源のオン・オフおよび運転モード（ＨＩＧＨ／ＬＯＷ）の切り替えを行うための主操作ボタン７と、冷風吹出し用の補助操作ボタン８とが設けられている。また、ハンドル部２の下端にはコード用のブッシュ１１が連結されており、このブッシュ１１から図示しない電源コードが引き出される。本体部１の下面には、掌で把持可能な大きさの隆起部６が一体に設けられている。
【００２７】
図７に示すように、ケース１ａは合成樹脂製の分割された一対のケースからなり、各ケース１ａに、ハンドル部２の半分が一体に形成されている。図２および図３における符号１０は、一対のケース１ａ（およびハンドル部２）の接合部を表している。図１では図示されていないが、ケース１ａに装着されたカバー１ｂの先端部には、図７に示すようなノズル４０が着脱自在に装着される。ノズル４０の開口４０ａは、カバー１ｂの空気吹出し口３と連通している。
【００２８】
図２に示すように、空気吹出し口３には格子状のグリル２０が配設されている。このグリル２０は、図７に示すような形状をしている。図５および図６に示すように、グリル２０の内側には、格子状のマイナスイオン発生部材２１、および格子状の遠赤外線発生部材２２が設けられている。これらの部材２１、２２は、図７〜図９に示すような形状をしている。マイナスイオン発生部材２１と、遠赤外線発生部材２２については、後で詳細に説明する。
【００２９】
図５および図６に示すように、本体部１には、送風ファン２７と、この送風ファン２７を駆動するモータ３２と、送風ファン２７から送り出される風の通路に配置された発熱部２５とが内蔵されている。送風ファン２７の周囲には整流翼２６が設けられ、モータ３２の周囲には絶縁板３１が設けられ、発熱部２５と本体部１（ケース１ａ）との間には遮熱板２４が設けられている。また、ハンドル部２には、主操作ボタン７と連動して回路の開閉を行うスライドスイッチ２９が内蔵されている。図５と図６では表れていないが、ハンドル部２には、補助操作ボタン８と連動して回路の開閉を行うマイクロスイッチ３０（図７参照）も内蔵されている。
【００３０】
発熱部２５は、送風ファン２７と空気吹出し口３との間に設けられており、図７に示すように、ヒータプレート２５ａを備えている。このヒータプレート２５ａは、空気吹出し口３側からみて十字形となっている。ヒータプレート２５ａには、ニクロム線などからなるヒータ（図示省略）が装備される。
【００３１】
マイナスイオン発生部材２１は、発熱部２５に対して空気吹出し口３側に配置され、図５に示すように、遠赤外線発生部材２２よりも空気吹出し口３側に位置している。図８に示すように、マイナスイオン発生部材２１は、縦格子２１ａおよび横格子２１ｂと、これらの格子２１ａ、２１ｂにより形成される多数の通風孔２１ｃ（第１の通風孔）と、凹部からなる位置決め用の係合部２１ｄ（第１の係合部）とを有している。このマイナスイオン発生部材２１は、マイナスイオンを発生する酸化ジルコニウム等のパウダーを練り込んだ、円盤状のセラミック（第１のセラミック）からなる。本実施形態では、パウダーの含有率は３０％であり、後述するようにこの値が最も好ましい。
【００３２】
遠赤外線発生部材２２は、発熱部２５に対して空気吹出し口３側に配置され、図５に示すように、マイナスイオン発生部材２１よりも内側に位置している。図９に示すように、遠赤外線発生部材２２は、縦格子２２ａおよび横格子２２ｂと、これらの格子２２ａ、２２ｂにより形成される多数の通風孔２２ｃ（第２の通風孔）と、凹部からなる位置決め用の係合部２２ｄ（第２の係合部）とを有している。この遠赤外線発生部材２２は、遠赤外線を発生する温光石のような天然鉱石のパウダーを練り込んだ、円盤状のセラミック（第２のセラミック）からなる。この場合も、パウダーの含有率は３０％であり、後述するようにこの値が最も好ましい。
【００３３】
図５に示すように、マイナスイオン発生部材２１と遠赤外線発生部材２２とは、空気吹出し口３の近傍に、互いに近接して設けられている。また、図７、図８および図９に示すように、マイナスイオン発生部材２１と遠赤外線発生部材２２とは、形状と寸法が同一であり、図５に示すように、１個の共通のホルダー２３に保持されている。
【００３４】
ホルダー２３は、シリコン等の材質からなり、図７に示すように、円筒状に形成されている。ホルダー２３には、マイナスイオン発生部材２１の係合部２１ｄ（図８）、および遠赤外線発生部材２２の係合部２２ｄ（図９）と係合する、凸部からなる係合部２３ａ（第２の係合部）が形成されている。ホルダー２３に、図５のようにマイナスイオン発生部材２１と遠赤外線発生部材２２を装着した際に、係合部２１ｄ、２２ｄが係合部２３ａに係合することによって、マイナスイオン発生部材２１と遠赤外線発生部材２２とが相互に位置決めされる。
【００３５】
図５に示すように、マイナスイオン発生部材２１と遠赤外線発生部材２２とは、一定の間隔を置いてホルダー２３に保持されている。ホルダー２３の外面には溝（図示省略）が形成されており、この溝とケース１ａの内面に形成されたリブ（図示省略）とが係合することにより、ホルダー２３がケース１ａに位置決めされて固定される。なお、ホルダー２３の外面にリブを設け、ケース１ａの内面に溝を設けてもよい。ホルダー２３の外面に設けられる溝またはリブは、第３の係合部に相当し、ケース１ａの内面に設けられるリブまたは溝は、第４の係合部に相当する。
【００３６】
マイナスイオン発生部材２１と遠赤外線発生部材２２を保持したホルダー２３がケース１ａに固定された状態では、マイナスイオン発生部材２１の格子２１ａ、２１ｂ（図８）と、遠赤外線発生部材２２の格子２２ａ、２２ｂ（図９）とが、空気吹出し口３側からみて重なる。また、マイナスイオン発生部材２１の各通風孔２１ｃ（図８）と、遠赤外線発生部材２２の各通風孔２２ｃ（図９）とが、空気吹出し口３側からみて一致する。
【００３７】
また、マイナスイオン発生部材２１よりも空気吹出し口３側に配置されたグリル２０も、図２および図７に示すように格子を有しており、マイナスイオン発生部材２１の格子２１ａ、２１ｂと、遠赤外線発生部材２２の格子２２ａ、２２ｂと、グリル２０の格子とが、空気吹出し口３側からみて重なる。
【００３８】
さらに、発熱部２５のヒータプレート２５ａは、図７に示すように、空気吹出し口３側からみて十字形であり、マイナスイオン発生部材２１の格子２１ａ、２１ｂと、遠赤外線発生部材２２の格子２２ａ、２２ｂと、グリル２０の格子と、ヒータプレート２５ａとが、空気吹出し口３側からみて重なる。
【００３９】
発熱部２５には、遠赤外線を発生する物質の層が形成されている。詳しくは、ヒータプレート２５ａとヒータ（図示省略）の一方または両方の表面は、遠赤外線発生物質（たとえば温光石）のパウダーによりコーティングされている。また、遮熱板２４にも、遠赤外線を発生する物質の層が形成されている。詳しくは、遮熱板２４の内面、すなわち発熱部２５側の面は、遠赤外線発生物質（たとえば温光石）のパウダーによりコーティングされている。
【００４０】
遮熱板２４は、テーパ状の筒体からなり、発熱部２５で発生した熱がケース１ａに影響しないようにするため、発熱部２５を包囲するように設けられる。遮熱板２４の前端（空気吹出し口３側の端部）の外径は、ホルダー２３の内径とほぼ同じであり、遮熱板２４の前端はホルダー２３の内面に密着している。また、遮熱板２４の後端（空気吹出し口３と反対側の端部）は、整流翼２６と隙間無く接合されている。これらの構造により、送風ファン２７から送り出される風が、遮熱板２４とホルダー２３との隙間や、遮熱板２４と整流翼２６の隙間から漏れるのを防止している。整流翼２６とキャップ５との間には、フィルター２８が設けられている。
【００４１】
なお、図示は省略しているが、ケース１ａの内部の適宜箇所には、サーモスタットが配設されており、ケース内の温度が異常に高温になると、サーモスタットが作動して、ヒータへの通電が自動的に遮断されるようになっている（オートリセット機能）。
【００４２】
次に、ヘアドライヤー１００の動作について説明する。主操作ボタン７を操作して電源をオンにすると、発熱部２５のヒータに通電が行われ、発熱部２５が発熱するとともに、モータ３２に通電が行われ、モータ３２の作動に伴って送風ファン２７が回転する。送風ファン２７の回転により、キャップ５の透孔５ａを介して外の空気が本体部１内に導入され、導入された空気は送風ファン２７によって、空気吹出し口３へ向って送り出される。この過程で、空気は発熱部２５で発生した熱によって加熱され、温風となって空気吹出し口３から排出される。
【００４３】
また、発熱部２５には、前述のように、遠赤外線を発生する物質がコーティングされているため、ヒータの発熱によって発熱部２５から遠赤外線が発生する。また、遮熱板２４の内面にも、遠赤外線を発生する物質がコーティングされているため、ヒータの発熱によって遮熱板２４から遠赤外線が発生する。さらに、遠赤外線を発生する物質が練り込まれた遠赤外線発生部材２２も、ヒータの発熱によって加熱され、遠赤外線を発生する。これらの各遠赤外線は、空気吹出し口３を介して外部へ放出される。
【００４４】
一方、マイナスイオン発生部材２１は、遠赤外線発生部材２２に近接して配置されているので、遠赤外線発生部材２２の加熱によって温度が上昇し、また、空気吹出し口３へ至る温風によっても温度が上昇する。その結果、マイナスイオン発生部材２１からマイナスイオンが発生する。発生したマイナスイオンは、温風とともに空気吹出し口３から外部へ放出される。
【００４５】
このようにして、空気吹出し口３からは、温風とともにマイナスイオンが放出され、また、遠赤外線も放出される。マイナスイオンは、頭髪の水分を保持したり、頭髪の静電気を除去したりする働きがあり、遠赤外線は、皮膚の奥深くまで浸透して血行を良くしたり、細胞を活性化したりする働きがある。
【００４６】
上述したヘアドライヤー１００によれば、マイナスイオン発生部材２１と遠赤外線発生部材２２の両方を設けても、各部材２１、２２に多数の通風孔２１ｃ、２２ｃが形成されており、しかも、これらの通風孔２１ｃ、２２ｃが空気吹出し口３側からみて一致しているので、送風ファン２７から送り出される風は、通風孔２１ｃ、２２ｃを通って円滑に流れる。このため、空気吹出し口３から排出される風の量が増加するとともに、ケース１ａ内の風の流れが良くなって、発熱部２５で発生した熱がケース１ａ内にこもるのが抑制される。このため、ケース１ａの内部温度が異常に高温になることはなく、サーモスタットが頻繁に作動しオートリセット機能が働くことでドライヤーが使用不可能になるのを回避することができる。
【００４７】
また、本実施形態では、マイナスイオン発生部材２１の格子２１ａ、２１ｂと、遠赤外線発生部材２２の格子２２ａ、２２ｂと、グリル２０の格子と、ヒータプレート２５ａとが、空気吹出し口３側からみて共に重なっているので、送風ファン２７からの風がこれらの各部によって邪魔される程度を最小限に抑えることができ、風の流れをより良好にすることができる。
【００４８】
また、本実施形態では、マイナスイオン発生部材２１が、遠赤外線発生部材２２よりも空気吹出し口３側に位置しているので、マイナスイオン発生部材２１が遠赤外線発生部材２２の内側（空気吹出し口３と反対側）に配置されている場合に比べて、空気吹出し口３から放出されるマイナスイオンの数が増加する。これにより、マイナスイオンによる十分なケア効果を得ることができる。また、電気的手段によってマイナスイオンを発生させる場合は、同時に電磁波も発生し、この電磁波が人体に悪影響を与えるが、本実施形態では、酸化ジルコニウム等のパウダーを練り込んだセラミックを加熱してマイナスイオンを発生させるので、電磁波を抑制することができる。
【００４９】
図１０は、空気吹出し口３から放出されるマイナスイオンの数を実測した結果を示している。この実験では、アンデス電気株式会社製の空気イオンカウンター（型式：ＮＴ−Ｃ１０１Ａ）を用い、発熱部２５のヒータに通電した状態で、空気吹出し口３から２０ｃｍ、１５ｃｍ、１０ｃｍ、５ｃｍの各位置における、空気中のマイナスイオンの数を測定した。グラフの横軸は、ヘアドライヤー１００の運転開始からの経過時間を秒単位で表しており、グラフの縦軸は、空気１ｃｃ当りのマイナスイオンの数を表している。
【００５０】
図１０からわかるように、空気吹出し口３に近いほどマイナスイオンの数は多くなり、空気吹出し口３から離れるほどマイナスイオンの数は少なくなる。図１０（ｄ）に示す空気吹出し口３から５ｃｍの位置では、運転開始から約３分後に、約６０００個／ｃｃのマイナスイオンが検出された。したがって、空気吹出し口３を頭髪から５ｃｍ程度離してドライヤーを運転することにより、多量のマイナスイオンを頭髪に作用させることができ、マイナスイオンによるケア効果が向上する。なお、発熱部２５のヒータに通電しない状態で運転した場合は、空気吹出し口３からの距離にかかわらず、マイナスイオンは検出されなかった。
【００５１】
また、本実施形態では、発熱部２５と、遮熱板２４と、遠赤外線発生部材２２の３つの部材から遠赤外線が発生するので、空気吹出し口３から十分な量の遠赤外線を放射することができ、遠赤外線によるケア効果が向上する。
【００５２】
なお、マイナスイオン発生部材２１のパウダー含有率と、遠赤外線発生部材２２のパウダー含有率に関して、それぞれの含有率を種々変化させて実験を行ったところ、各部材２１、２２のパウダー含有率を共に３０％とした場合に、マイナスイオンと遠赤外線が最も多く放出されることが確認された。各部材２１、２２のパウダー含有率が３０％未満になると、マイナスイオンと遠赤外線の放出量は減少する。一方、各部材２１、２２のパウダー含有率が３０％を超えても、マイナスイオンと遠赤外線の放出量は、パウダー含有率が３０％の場合と比べて、ほとんど増加しなかった。
【００５３】
本実施形態では、本体部１の内部における風の流れが良くなるので、送風ファン２７の回転数を必要以上に上げなくても、十分な風量を確保することができる。これにより、モータ３２の消費電力を低減して、省電力化をはかることができる。
【００５４】
また、本実施形態では、運転モードがＬＯＷの場合、空気吹出し口３から排出される温風の温度は、５０℃程度の低温になる。このため、頭髪だけでなく、顔、首筋、腕、胸部、腹部、脚部、足の裏など、身体のさまざまな部位に対して温風を当てることができ、全身に対するケアが可能となる。
【００５５】
また、本実施形態では、マイナスイオン発生部材２１と遠赤外線発生部材２２とが、共通のホルダー２３に保持されるため、両部材２１、２２をホルダー２３に保持させた後、ホルダー２３をケース１ａに装着することで、両部材２１、２２がケース１ａに取り付けられる。このため、組み立て作業が簡単になる。
【００５６】
また、マイナスイオン発生部材２１と遠赤外線発生部材２２の係合部２１ｄ、２２ｄと、ホルダー２３の係合部２３ａとの係合により、両部材２１、２２が相互に位置決めされるので、両部材２１、２２間の位置精度が向上し、通風孔２１ｃ、２２ｃ間にずれが発生するのを極力なくすことができる。
【００５７】
さらに、マイナスイオン発生部材２１と遠赤外線発生部材２２とは、図５に示すように、一定間隔を置いて配置されているので、通風孔２１ｃ、２２ｃ間に微小なずれがあったとしても、このずれにより風の整流効果が妨げられるのを、両部材２１、２２間の間隙によって緩和することができる。
【００５８】
本発明は、上述した実施形態のみに限定されるものではなく、他にも種々の実施形態を採用することができる。たとえば、前記の実施形態では、マイナスイオン発生部材２１と遠赤外線発生部材２２をホルダー２３に保持させた例を挙げたが、ホルダー２３を省略して、両部材２１、２２を直接ケース１ａに取り付けてもよい。
【００５９】
また、前記の実施形態では、マイナスイオン発生部材２１と遠赤外線発生部材２２の形状を、空気吹出し口３からみて円形としたが、両部材２１、２２の形状を、空気吹出し口３からみて多角形としてもよい。
【００６０】
また、前記の実施形態では、マイナスイオン発生部材２１と遠赤外線発生部材２２の形状および寸法が同一であったが、両部材２１、２２の形状と寸法は異なっていてもよい。
【００６１】
また、前記の実施形態では、空気吹出し口３にグリル２０が配設されているが、このグリル２０は省略してもよい。
【００６２】
さらに、前記の実施形態では、発熱部２５のヒータプレート２５ａが十字形である例を挙げたが、このヒータプレートは、円筒形などの他の形状であってもよい。
【符号の説明】
【００６３】
１    本体部
３    空気吹出し口
２０  グリル
２１  マイナスイオン発生部材
２１ａ、２１ｂ  格子
２１ｃ  通風孔（第１の通風孔）
２１ｄ  係合部（第１の係合部）
２２  遠赤外線発生部材
２２ａ、２２ｂ  格子
２２ｃ  通風孔（第２の通風孔）
２２ｄ  係合部（第１の係合部）
２３    ホルダー
２３ａ  係合部（第２の係合部）
２４  遮熱板
２５  発熱部
２５ａ  ヒータプレート
２７  送風ファン
１００  ヘアドライヤー
【要約】
【課題】内部の風の流れを良くして熱のこもりを防止するとともに、空気吹出し口から多量のマイナスイオンを放出することが可能なヘアドライヤーを提供する。
【解決手段】ヘアドライヤー１００は、本体部１と、本体部１に内蔵された送風ファン２７と、送風ファン２７から送り出される風の通路に配置された発熱部２５と、発熱部２５に対して空気吹出し口３側に配置され、多数の通風孔２１ｃを有する格子状のマイナスイオン発生部材２１と、発熱部２５に対して空気吹出し口３側に配置され、多数の通風孔２２ｃを有する格子状の遠赤外線発生部材２２とを備えている。マイナスイオン発生部材２１と遠赤外線発生部材２２とは、空気吹出し口３の近傍に、互いに近接して設けられており、マイナスイオン発生部材２１は、遠赤外線発生部材２２よりも空気吹出し口３側に位置している。
【選択図】図５【図１】
0006053906.tif 000002
【図２】
0006053906.tif 000003
【図３】
0006053906.tif 000004
【図４】
0006053906.tif 000005
【図５】
0006053906.tif 000006
【図６】
0006053906.tif 000007
【図７】
0006053906.tif 000008
【図８】
0006053906.tif 000009
【図９】
0006053906.tif 000010
【図１０】
0006053906.tif 000011